(57)【要約】  本開示は、電力ヘッドルーム報告方法及び端末機器を提供しており、当該方法は、電力ヘッドルーム報告（ＰＨＲ）ポリシーに基づいて、電力ヘッドルーム報告を行うことを含み、そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。【選択図】図２
2022501943.tif 000002
【特許請求の範囲】
【請求項１】
端末機器に適用される電力ヘッドルーム報告方法であって、
電力ヘッドルーム報告ＰＨＲポリシーに基づいて、電力ヘッドルーム報告を行うことを含み、
そのうち、前記電力ヘッドルーム報告ＰＨＲポリシーは、電力ヘッドルーム計算用のキャリアと、ターゲット電力ヘッドルーム報告ＰＨＲ類型との少なくとも１つに関連するものであり、前記ターゲット電力ヘッドルーム報告ＰＨＲ類型は、第一電力ヘッドルーム報告ＰＨＲ類型及び／又は第二電力ヘッドルーム報告ＰＨＲ類型を含み、前記第一電力ヘッドルーム報告ＰＨＲ類型は、類型１の電力ヘッドルーム報告ＰＨＲ、類型２の電力ヘッドルーム報告ＰＨＲ又は類型３の電力ヘッドルーム報告ＰＨＲを含み、前記第二電力ヘッドルーム報告ＰＨＲ類型は、リアル電力ヘッドルーム報告ＰＨＲ又は仮想電力ヘッドルーム報告ＰＨＲを含む、電力ヘッドルーム報告方法。
【請求項２】
前記電力ヘッドルーム報告ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含む、請求項１に記載の電力ヘッドルーム報告方法。
【請求項３】
前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（ＰＲＡＣＨ）を搬送するキャリアの優先度が、物理ランダムアクセスチャネルＰＲＡＣＨを搬送しないキャリアの優先度よりも高いことと、
物理上りリンク制御チャネル（ＰＵＣＣＨ）を搬送するキャリアの優先度が、物理上りリンク制御チャネルＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つ物理上りリンク共有チャネルＰＵＳＣＨを搬送するキャリアの優先度が、周期的サウンディング参照信号ＳＲＳ又はセミパーシステントサウンディング参照信号ＳＲＳを搬送するキャリアの優先度よりも高いことと、
物理上りリンク共有チャネル（ＰＵＳＣＨ）を第一類の無線ネットワーク一時識別子（ＲＮＴＩ）によってスクランブルされるキャリアの優先度が、物理上りリンク共有チャネルＰＵＳＣＨを第二類の無線ネットワーク一時識別子ＲＮＴＩによってスクランブルされるキャリアよりも高く、そのうち、前記第一類の無線ネットワーク一時識別子ＲＮＴＩが、変調及び符号化方式セル無線ネットワーク一時識別子（ＭＣＳ−Ｃ−ＲＮＴＩ）であり、前記第二類の無線ネットワーク一時識別子ＲＮＴＩが、前記無線ネットワーク一時識別子ＭＣＳ−Ｃ−ＲＮＴＩ以外の無線ネットワーク一時識別子ＲＮＴＩであることとのうち、少なくとも１つが含まれる、請求項２に記載の電力ヘッドルーム報告方法。
【請求項４】
前記電力ヘッドルーム報告ＰＨＲポリシーには、
第一時刻と第二時刻との間の上りリンク伝送に基づいて、前記ターゲット電力ヘッドルーム報告ＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である、請求項１に記載の電力ヘッドルーム報告方法。
【請求項５】
前記電力ヘッドルーム報告ＰＨＲポリシーには、
第二上りリンク伝送に基づいて、前記ターゲット電力ヘッドルーム報告ＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である、請求項４に記載の電力ヘッドルーム報告方法。
【請求項６】
前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である、請求項４に記載の電力ヘッドルーム報告方法。
【請求項７】
前記ターゲット電力ヘッドルーム報告ＰＨＲ類型は、前記第一電力ヘッドルーム報告ＰＨＲ類型を含み、
前記電力ヘッドルーム報告ＰＨＲポリシーには、
前記第一時刻と前記第二時刻との間に少なくとも１つの物理上りリンク共有チャネルＰＵＳＣＨ伝送がある場合、前記第一電力ヘッドルーム報告ＰＨＲ類型が前記類型１の電力ヘッドルーム報告ＰＨＲであると確定することと、
前記第一時刻と前記第二時刻との間に少なくとも１つの物理上りリンク制御チャネルＰＵＣＣＨがある場合、前記第一電力ヘッドルーム報告ＰＨＲ類型が前記類型２の電力ヘッドルーム報告ＰＨＲであると確定することと、
前記第一時刻と前記第二時刻との間に少なくとも１つのサウンディング参照信号ＳＲＳ伝送がある場合、前記第一電力ヘッドルーム報告ＰＨＲ類型が前記類型３の電力ヘッドルーム報告ＰＨＲであると確定することと、
前記第一時刻と前記第二時刻との間の上りリンク伝送の中で、物理上りリンク制御チャネルＰＵＣＣＨ伝送のみがある場合、前記第一電力ヘッドルーム報告ＰＨＲ類型が前記類型１の電力ヘッドルーム報告ＰＨＲ又は前記類型３の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型１の電力ヘッドルーム報告ＰＨＲ又は前記類型３の電力ヘッドルーム報告ＰＨＲであると確定することとのうち、何れか１つが含まれる、請求項４に記載の電力ヘッドルーム報告方法。
【請求項８】
前記電力ヘッドルーム報告ＰＨＲポリシーには、
前記第一時刻と前記第二時刻との間の上りリンク伝送の中で、前記第二時刻に最も近い回の上りリンク伝送が物理上りリンク共有チャネルＰＵＳＣＨ伝送である場合、前記第一電力ヘッドルーム報告ＰＨＲ類型が前記類型１の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型２の電力ヘッドルーム報告ＰＨＲであると確定することと、
前記第一時刻と前記第二時刻との間の上りリンク伝送の中で、前記第二時刻に最も近い回の上りリンク伝送がサウンディング参照信号ＳＲＳ伝送である場合、前記第一電力ヘッドルーム報告ＰＨＲ類型が前記類型３の電力ヘッドルーム報告ＰＨＲであると確定することとのうち、少なくとも１つが含まれる、請求項７に記載の電力ヘッドルーム報告方法。
【請求項９】
前記ターゲット電力ヘッドルーム報告ＰＨＲ類型は、前記第二電力ヘッドルーム報告ＰＨＲ類型を含み、
前記電力ヘッドルーム報告ＰＨＲポリシーには、
第一時間区間内に少なくとも１つの物理上りリンク共有チャネルＰＵＳＣＨ又は物理上りリンク制御チャネルＰＵＣＣＨ又はサウンディング参照信号ＳＲＳ伝送がある場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することと、
第一時間区間内に物理上りリンク制御チャネルＰＵＣＣＨ伝送のみがある場合、前記第二電力ヘッドルーム報告ＰＨＲ類型が前記仮想電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第二電力ヘッドルーム報告ＰＨＲ類型が前記仮想電力ヘッドルーム報告ＰＨＲであると確定することとのうち、何れか１つが含まれ、
そのうち、前記第一時間区間は［Ｔ１，Ｔ２］、Ｔ１は前記第一時刻、Ｔ２は前記第二時刻である、請求項４に記載の電力ヘッドルーム報告方法。
【請求項１０】
前記電力ヘッドルーム報告ＰＨＲポリシーには、
第一時間区間内の上りリンク伝送の中で、前記第二時刻に最も近い回の上りリンク伝送が物理上りリンク共有チャネルＰＵＳＣＨ又は物理上りリンク制御チャネルＰＵＣＣＨ又はサウンディング参照信号ＳＲＳ伝送である場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することが含まれる、請求項９に記載の電力ヘッドルーム報告方法。
【請求項１１】
端末機器であって、
電力ヘッドルーム報告ＰＨＲポリシーに基づいて、電力ヘッドルーム報告を行うための報告モジュールを含み、
そのうち、前記電力ヘッドルーム報告ＰＨＲポリシーは、電力ヘッドルーム計算用のキャリアと、ターゲット電力ヘッドルーム報告ＰＨＲ類型との少なくとも１つに関連するものであり、前記ターゲット電力ヘッドルーム報告ＰＨＲ類型は、第一電力ヘッドルーム報告ＰＨＲ類型及び／又は第二電力ヘッドルーム報告ＰＨＲ類型を含み、前記第一電力ヘッドルーム報告ＰＨＲ類型は、類型１の電力ヘッドルーム報告ＰＨＲ、類型２の電力ヘッドルーム報告ＰＨＲ又は類型３の電力ヘッドルーム報告ＰＨＲを含み、前記第二電力ヘッドルーム報告ＰＨＲ類型は、リアル電力ヘッドルーム報告ＰＨＲ又は仮想電力ヘッドルーム報告ＰＨＲを含む、端末機器。
【請求項１２】
前記電力ヘッドルーム報告ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含む、請求項１１に記載の端末機器。
【請求項１３】
前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（ＰＲＡＣＨ）を搬送するキャリアの優先度が、物理ランダムアクセスチャネルＰＲＡＣＨを搬送しないキャリアの優先度よりも高いことと、
物理上りリンク制御チャネル（ＰＵＣＣＨ）を搬送するキャリアの優先度が、物理上りリンク制御チャネルＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つ物理上りリンク共有チャネルＰＵＳＣＨを搬送するキャリアの優先度が、周期的サウンディング参照信号ＳＲＳ又はセミパーシステントサウンディング参照信号ＳＲＳを搬送するキャリアの優先度よりも高いことと、
物理上りリンク共有チャネル（ＰＵＳＣＨ）を第一類の無線ネットワーク一時識別子（ＲＮＴＩ）によってスクランブルされるキャリアの優先度が、物理上りリンク共有チャネルＰＵＳＣＨを第二類の無線ネットワーク一時識別子ＲＮＴＩによってスクランブルされるキャリアよりも高く、そのうち、前記第一類の無線ネットワーク一時識別子ＲＮＴＩが、変調及び符号化方式セル無線ネットワーク一時識別子（ＭＣＳ−Ｃ−ＲＮＴＩ）であり、前記第二類の無線ネットワーク一時識別子ＲＮＴＩが、前記変調及び符号化方式セル無線ネットワーク一時識別子ＭＣＳ−Ｃ−ＲＮＴＩ以外の無線ネットワーク一時識別子ＲＮＴＩであることとのうち、少なくとも１つが含まれる、請求項１２に記載の端末機器。
【請求項１４】
前記電力ヘッドルーム報告ＰＨＲポリシーには、
第一時刻と第二時刻との間の上りリンク伝送に基づいて、前記ターゲット電力ヘッドルーム報告ＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である、請求項１１に記載の端末機器。
【請求項１５】
前記電力ヘッドルーム報告ＰＨＲポリシーには、
第二上りリンク伝送に基づいて、前記ターゲット電力ヘッドルーム報告ＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である、請求項１４に記載の端末機器。
【請求項１６】
前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である、請求項１４に記載の端末機器。
【請求項１７】
前記ターゲット電力ヘッドルーム報告ＰＨＲ類型は、前記第一電力ヘッドルーム報告ＰＨＲ類型を含み、
前記電力ヘッドルーム報告ＰＨＲポリシーには、
前記第一時刻と前記第二時刻との間に少なくとも１つの物理上りリンク共有チャネルＰＵＳＣＨ伝送がある場合、前記第一電力ヘッドルーム報告ＰＨＲ類型が前記類型１の電力ヘッドルーム報告ＰＨＲであると確定することと、
前記第一時刻と前記第二時刻との間に少なくとも１つの物理上りリンク制御チャネルＰＵＣＣＨ伝送がある場合、前記第一電力ヘッドルーム報告ＰＨＲ類型が前記類型２の電力ヘッドルーム報告ＰＨＲであると確定することと、
前記第一時刻と前記第二時刻との間に少なくとも１つのサウンディング参照信号ＳＲＳ伝送がある場合、前記第一電力ヘッドルーム報告ＰＨＲ類型が前記類型３の電力ヘッドルーム報告ＰＨＲであると確定することと、
前記第一時刻と前記第二時刻との間の上りリンク伝送の中で、物理上りリンク制御チャネルＰＵＣＣＨ伝送のみがある場合、前記第一電力ヘッドルーム報告ＰＨＲ類型が前記類型１の電力ヘッドルーム報告ＰＨＲ又は前記類型３の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型１の電力ヘッドルーム報告ＰＨＲ又は前記類型３の電力ヘッドルーム報告ＰＨＲであると確定することとのうち、何れか１つが含まれる、請求項１４に記載の端末機器。
【請求項１８】
前記電力ヘッドルーム報告ＰＨＲポリシーには、
前記第一時刻と前記第二時刻との間の上りリンク伝送の中で、前記第二時刻に最も近い回の上りリンク伝送が物理上りリンク共有チャネルＰＵＳＣＨ伝送である場合、前記第一電力ヘッドルーム報告ＰＨＲ類型が前記類型１の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型２の電力ヘッドルーム報告ＰＨＲであると確定することと、
前記第一時刻と前記第二時刻との間の上りリンク伝送の中で、前記第二時刻に最も近い回の上りリンク伝送がサウンディング参照信号ＳＲＳ伝送である場合、前記第一電力ヘッドルーム報告ＰＨＲ類型が前記類型３の電力ヘッドルーム報告ＰＨＲであると確定することとのうち、少なくとも１つが含まれる、請求項１７に記載の端末機器。
【請求項１９】
前記ターゲット電力ヘッドルーム報告ＰＨＲ類型は、前記第二電力ヘッドルーム報告ＰＨＲ類型を含み、
前記電力ヘッドルーム報告ＰＨＲポリシーには、
第一時間区間内に少なくとも１つの物理上りリンク共有チャネルＰＵＳＣＨ又は物理上りリンク制御チャネルＰＵＣＣＨ又はサウンディング参照信号ＳＲＳ伝送がある場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することと、
第一時間区間内に物理上りリンク制御チャネルＰＵＣＣＨ伝送のみがある場合、前記第二電力ヘッドルーム報告ＰＨＲ類型が前記仮想電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第二電力ヘッドルーム報告ＰＨＲ類型が前記仮想電力ヘッドルーム報告ＰＨＲであると確定することとのうち、何れか１つが含まれ、
そのうち、前記第一時間区間は［Ｔ１，Ｔ２］、Ｔ１は前記第一時刻、Ｔ２は前記第二時刻である、請求項１４に記載の端末機器。
【請求項２０】
前記電力ヘッドルーム報告ＰＨＲポリシーには、
第一時間区間内の上りリンク伝送の中で、前記第二時刻に最も近い回の上りリンク伝送が物理上りリンク共有チャネルＰＵＳＣＨ又は物理上りリンク制御チャネルＰＵＣＣＨ又はサウンディング参照信号ＳＲＳ伝送である場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することが含まれる、請求項１９に記載の端末機器。
【請求項２１】
プロセッサと、メモリと、前記メモリに記憶されて前記プロセッサ上で動作可能なコンピュータプログラムとを含み、前記コンピュータプログラムが前記プロセッサによって実行されると、請求項１〜１０の何れか一項に記載の電力ヘッドルーム報告方法が実現される、端末機器。
【請求項２２】
コンピュータプログラムを記憶した記憶媒体であって、前記コンピュータプログラムがプロセッサによって実行されると、請求項１〜１０の何れか一項に記載の電力ヘッドルーム報告方法が実現される、コンピュータ読取可能な記憶媒体。
【発明の詳細な説明】
【技術分野】
【０００１】
（関連出願の相互参照）
本願は、２０１８年９月２８日に中国で出願された中国特許出願第２０１８１１１４２４５５．１号の優先権を主張し、その内容の全ては、参照により本願に組み込まれる。
本開示は、通信の技術分野に関し、特に、電力ヘッドルーム報告方法及び端末機器に関する。
【背景技術】
【０００２】
将来の通信システム（例えば、新しいラジオ（Ｎｅｗ  Ｒａｄｉｏ、ＮＲ）システム）では、キャリア集約（Ｃａｒｒｉｅｒ  Ａｇｇｒｅｇａｔｉｏｎ、ＣＡ）、デュアル接続（Ｄｕａｌ  Ｃｏｎｎｅｃｔｉｏｎ、ＤＣ）、補助上りリンク（Ｓｕｐｐｌｅｍｅｎｔ  Ｕｐｌｉｎｋ、ＳＵＬ）、及びキャリア切替送信等がサポートされる。これらのシーンにおいて、ユーザ機器（Ｕｓｅｒ  Ｅｑｕｉｐｍｅｎｔ、ＵＥ）は、複数のキャリア上で、上りリンク物理チャネル又は参照信号を同時に送信することができる。
【０００３】
電力ヘッドルーム報告（Ｐｏｗｅｒ  Ｈｅａｄｒｏｏｍ  Ｒｅｐｏｒｔ、ＰＨＲ）は、主にネットワーク側のスケジューリングを支援するためのものである。チャネル類型の違いに応じて、上りリンクでは、類型１のＰＨＲ及び類型３のＰＨＲがサポートされる。そのうち、類型１のＰＨＲは、物理上りリンク共有チャネル（Ｐｈｙｓｉｃａｌ  Ｕｐｌｉｎｋ  Ｓｈａｒｉｎｇ  Ｃｈａｎｎｅｌ、ＰＵＳＣＨ）に基づいて電力ヘッドルームを計算し、類型３のＰＨＲは、サウンディング参照信号（Ｓｏｕｎｄｉｎｇ  Ｒｅｆｅｒｅｎｃｅ  Ｓｉｇｎａｌ、ＳＲＳ）に基づいて電力ヘッドルームを計算する。上りリンク物理チャネル又は参照信号がリアルに伝送されるかどうかに応じて、上りリンクでは、仮想ＰＨＲ及びリアルＰＨＲがサポートされる。そのうち、仮想ＰＨＲは、上りリンク物理チャネル又は参照信号が伝送されない場合に対応するものであり、リアルＰＨＲは、上りリンク物理チャネル又は参照信号が実際に伝送される場合に対応するものである。
【０００４】
しかしながら、関連技術には、ユーザ機器ＵＥが、電力ヘッドルーム報告をトリガした場合、電力ヘッドルーム計算用のキャリア、電力ヘッドルーム報告類型等の電力ヘッドルーム報告の関連パラメータを如何に確定するかについては、関連する解決案がないため、電力ヘッドルーム報告が不正確になり、ネットワーク側のスケジューリング決定に影響を与えてしまう可能性がある。
【発明の概要】
【発明が解決しようとする課題】
【０００５】
本開示のいくつかの実施例は、関連技術における如何に電力ヘッドルーム報告の関連パラメータが確定されるかを明確にできなかったことに起因して電力ヘッドルーム報告が不正確になるという問題を解決するための電力ヘッドルーム報告方法及び端末機器を提供する。
【課題を解決するための手段】
【０００６】
上記課題を解決するために、本開示は、次のように実現される。
【０００７】
第一態様において、本開示のいくつかの実施例は、電力ヘッドルーム報告方法を提供している。当該方法は、
電力ヘッドルーム報告（ＰＨＲ）ポリシーに基づいて、電力ヘッドルーム報告を行うことを含み、
そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。
【０００８】
第二態様において、本開示のいくつかの実施例は、端末機器を更に提供している。当該端末機器は、
電力ヘッドルーム報告（ＰＨＲ）ポリシーに基づいて、電力ヘッドルーム報告を行うための報告モジュールを含み、
そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。
【０００９】
第三態様において、本開示のいくつかの実施例は、プロセッサと、メモリと、前記メモリに記憶されて前記プロセッサ上で動作可能なコンピュータプログラムとを含み、前記コンピュータプログラムが前記プロセッサによって実行されると、上記の電力ヘッドルーム報告方法が実現される、端末機器を更に提供している。
【００１０】
第四態様において、本開示のいくつかの実施例は、コンピュータプログラムを記憶した記憶媒体であって、前記コンピュータプログラムがプロセッサによって実行されると、上記の電力ヘッドルーム報告方法が実現される、コンピュータ読取可能な記憶媒体を更に提供している。
【発明の効果】
【００１１】
本開示のいくつかの実施例では、端末機器が、電力ヘッドルーム報告をトリガした場合、電力ヘッドルーム報告ポリシーを利用して、電力ヘッドルーム計算用のキャリア及び／又はターゲットＰＨＲ類型を確定し、電力ヘッドルーム報告を行うことができ、電力ヘッドルーム計算の関連パラメータの確定方式を規範化しているため、電力ヘッドルーム報告の正確性を向上させることができる。
【００１２】
本開示のいくつかの実施例の技術案をより明瞭に説明するために、以下、本開示のいくつかの実施例の説明に必要な図面を簡単に紹介するが、明らかなことに、以下で説明される図面は、あくまでも本開示のいくつかの実施例であり、当業者にとっては、創造的な労働を払わずに、これらの図面に基づいて他の図面を得ることができる。
【図面の簡単な説明】
【００１３】
【図１】本開示のいくつかの実施例に適用可能なネットワークシステムの１つの構造図である。
【図２】本開示のいくつかの実施例による電力ヘッドルーム報告方法のフローチャートである。
【図３】本開示のいくつかの実施例による端末機器の構造図である。
【図４】本開示の別の一実施例による端末機器の構造図である。
【発明を実施するための形態】
【００１４】
以下、本開示のいくつかの実施例における図面を参照しながら、本開示のいくつかの実施例における技術案を明瞭且つ完全に説明するが、明らかなことに、説明される実施例は、本開示の一部の実施例であり、すべての実施例ではない。本開示における実施例に基づいて、当業者によって創造的な労働を払わずに得られた他の実施例は、全て本開示の保護範囲に含まれるものとする。
【００１５】
本願の明細書及び特許請求の範囲における「第一」、「第二」などの用語は、類似しているオブジェクトを区別するために使用されるものであり、必ずしも特定の順序や前後順番を記述するために使用されるとは限らない。そのように使用されるデータは、適切な状況において互いに交換可能で、それによって、本明細書において記述される本願の実施例は、例えば本明細書において図示又は記述される順序以外の順序で実施可能であることを理解されたい。また、用語「含む」及び「有する」、並びにそれらのあらゆる変形は、非排他的な包含をカバーするものであり、例えば、一連のステップやユニットを含む手順、方法、システム、製品や機器は、明示的に列挙されているこれらのステップやユニットのみを含むことに限定されず、明示的に列挙されていない他のステップやユニット、或いは、これらの手順、方法、製品や機器に固有の他のステップやユニットを含んでもよい。なお、明細書及び特許請求の範囲に使用される「及び／又は」とは、接続対象のうち、少なくとも１つを表すものであり、例えば、「Ａ及び／又はＢ及び／又はＣ」とは、Ａのみが存在する、Ｂのみが存在する、Ｃのみが存在する、及び、ＡとＢの両方が存在する、ＢとＣの両方が存在する、ＡとＣの両方が存在する、ＡとＢとＣの全てが存在するとの７つの場合を含む。
【００１６】
本開示のいくつかの実施例は、電力ヘッドルーム報告方法を提供する。図１は、本開示のいくつかの実施例に適用可能なネットワークシステムの１つの構造図である。図１に示すように、このネットワークシステムには、端末機器１１及びネットワーク側機器１２が含まれており、端末機器１１は、携帯電話、タブレットＰＣ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）等の端末機器側デバイスであってもよいが、本開示のいくつかの実施例において、端末機器１１の具体的な類型が限定されないことを留意されたい。ネットワーク側機器１２は、例えばマクロ基地局、ＬＴＥ  ｅＮＢ、５Ｇ  ＮＲ  ＮＢ、ｇＮＢ等の基地局であってもよいし、例えば低電力ノード（Ｌｏｗ  Ｐｏｗｅｒ  Ｎｏｄｅ、ＬＰＮ）ｐｉｃｏ、ｆｅｍｔｏ等のスモール基地局であってもよい。又は、ネットワーク側機器１２は、アクセスポイント（Ａｃｃｅｓｓ  Ｐｏｉｎｔ、ＡＰ）であってもよい。基地局は、中央ユニット（Ｃｅｎｔｒａｌ  Ｕｎｉｔ、ＣＵ）と、その管理及び制御下の複数の伝送受信ポイント（Ｔｒａｎｓｍｉｓｓｉｏｎ  Ｒｅｃｅｐｔｉｏｎ  Ｐｏｉｎｔ、ＴＲＰ）との両方からなるネットワークノードであってもよい。なお、本開示のいくつかの実施例において、ネットワーク側機器１２の具体的な類型も限定されない。
【００１７】
本開示のいくつかの実施例において、端末機器１１は、電力ヘッドルーム報告をトリガした場合、電力ヘッドルーム報告（Ｐｏｗｅｒ  Ｈｅａｄｒｏｏｍ  Ｒｅｐｏｒｔ、ＰＨＲ）ポリシーを利用して、電力ヘッドルーム報告を行うことができる。上記ＰＨＲポリシーは、電力ヘッドルーム計算用のキャリアと、ターゲットＰＨＲ類型との少なくとも１つに関連するものである。上記ターゲットＰＨＲ類型は、第一ＰＨＲ類型及び／又は第二ＰＨＲ類型を含み得る。前記第一ＰＨＲ類型は、類型１のＰＨＲ、類型２のＰＨＲ又は類型３のＰＨＲを含み得る。前記第二ＰＨＲ類型は、リアルＰＨＲ又は仮想ＰＨＲを含み得る。
【００１８】
具体的に、端末機器１１は、上記ＰＨＲポリシーに基づいて、上記電力ヘッドルーム計算用のキャリア及び／又はターゲットＰＨＲ類型を確定でき、その結果、上記電力ヘッドルーム計算用のキャリア及び／又はターゲットＰＨＲ類型に基づいて、電力ヘッドルームを計算して報告することができる。本開示のいくつかの実施例は、ＰＨＲポリシーに基づいて電力ヘッドルーム計算の関連パラメータを確定することにより、電力ヘッドルーム計算の関連パラメータの確定方式を規範化しており、電力ヘッドルーム計算の正確性を向上させ、ひいては、電力ヘッドルーム報告の正確性を向上させることができる。
【００１９】
例えば、上記ＰＨＲポリシーには、端末機器の第一上りリンク伝送を搬送する少なくとも２つのキャリアの中で、最も優先度の高いキャリアが電力ヘッドルーム計算用のキャリアであると確定することが含まれる場合、端末機器１１は、端末機器１１の第一上りリンク伝送を搬送する少なくとも２つのキャリアから、最も優先度の高いキャリアを電力ヘッドルーム計算用のキャリアとして選択することが可能であり、上記ＰＨＲポリシーには、第一時刻と第二時刻との間の上りリンク伝送に基づいて、第一ＰＨＲ類型を確定することが含まれる場合、端末機器１１は、第一時刻と第二時刻との間の上りリンク伝送に基づいて、電力ヘッドルーム計算用の上りリンクチャネル又は参照信号、つまり第一ＰＨＲ類型を確定することが可能であり、そのうち、第一時刻は、前記端末機器によって電力ヘッドルーム報告がトリガされる時刻であり、第二時刻は、前記第一時刻の後且つ電力ヘッドルーム報告の前の時刻である。
【００２０】
なお、上記ＰＨＲポリシーは、プロトコルで事前定義されてもよいし、ネットワーク側で構成されてもよいが、本開示のいくつかの実施例では、これについて限定しない。
【００２１】
それに応じて、ネットワーク側機器１２は、端末機器１１から報告された電力ヘッドルームを受信し、端末機器１１から報告された電力ヘッドルームに基づいて、スケジューリング決定を行うことが可能である。
【００２２】
本開示のいくつかの実施例は、ＰＨＲポリシーを利用して、電力ヘッドルーム報告を行う。そのうち、前記ＰＨＲポリシーは、電力ヘッドルーム計算用のキャリアと、ターゲットＰＨＲ類型との少なくとも１つに関連するものである。端末機器は、電力ヘッドルーム報告をトリガした場合、電力ヘッドルーム報告ポリシーを利用して、電力ヘッドルーム計算用のキャリア及び／又はターゲットＰＨＲ類型を確定し、確定された電力ヘッドルーム計算用のキャリア及び／又はターゲットＰＨＲ類型に基づいて、電力ヘッドルーム報告を行うことができるため、電力ヘッドルーム計算の正確性を向上させ、ひいては、電力ヘッドルーム報告の正確性を向上させることができる。
【００２３】
本開示のいくつかの実施例は、端末機器に適用される電力ヘッドルーム報告方法を提供する。図２は、本開示のいくつかの実施例による電力ヘッドルーム報告方法のフローチャートである。図２に示すように、この電力ヘッドルーム報告方法は、
電力ヘッドルーム報告（ＰＨＲ）ポリシーに基づいて、電力ヘッドルーム報告を行うステップ２０１を含み、
そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。
【００２４】
本開示のいくつかの実施例において、端末機器は、電力ヘッドルーム報告をトリガした場合、上記ＰＨＲポリシーに基づいて、上記電力ヘッドルーム計算用のキャリア及び／又はターゲットＰＨＲ類型を確定でき、その結果、上記電力ヘッドルーム計算用のキャリア及び／又はターゲットＰＨＲ類型に基づいて、電力ヘッドルームを計算して報告することができる。
【００２５】
なお、上記類型１のＰＨＲは、物理上りリンク共有チャネル（Ｐｈｙｓｉｃａｌ  Ｕｐｌｉｎｋ  Ｓｈａｒｉｎｇ  Ｃｈａｎｎｅｌ、ＰＵＳＣＨ）に基づいて、電力ヘッドルームを計算し、類型２のＰＨＲは、物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）に基づいて、電力ヘッドルームを計算し、類型３のＰＨＲは、サウンディング参照信号（Ｓｏｕｎｄｉｎｇ  Ｒｅｆｅｒｅｎｃｅ  Ｓｉｇｎａｌ、ＳＲＳ）に基づいて、電力ヘッドルームを計算する。上記リアルＰＨＲは、上りリンク物理チャネル又は参照信号が伝送されない場合に対応するものである、リアルＰＨＲは、上りリンク物理チャネル又は参照信号が実際に伝送される場合に対応するものである。
【００２６】
なお、上記ＰＨＲポリシーは、プロトコルで事前定義されてもよいし、ネットワーク側で構成されてもよいが、本開示のいくつかの実施例では、これについて限定しない。
【００２７】
本開示のいくつかの実施例による電力ヘッドルーム報告方法は、電力ヘッドルーム報告（ＰＨＲ）ポリシーに基づくことで、電力ヘッドルーム報告を行う。そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。端末機器が、電力ヘッドルーム報告をトリガした場合、電力ヘッドルーム報告ポリシーを利用して、電力ヘッドルーム計算用のキャリア及び／又はターゲットＰＨＲ類型を確定し、電力ヘッドルーム報告を行うことができ、電力ヘッドルーム計算の関連パラメータの確定方式を規範化しているため、電力ヘッドルーム報告の正確性を向上させることができる。
【００２８】
選択的に、前記ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含むようにしてよい。
【００２９】
本開示のいくつかの実施例において、ＰＨＲポリシーには、キャリア優先度関係に基づいて、端末機器の第一上りリンク伝送を搬送する少なくとも２つのキャリアの中で、最も優先度の高いキャリアが電力ヘッドルーム計算用のキャリアであると確定することが含まれる。
【００３０】
なお、上記キャリア優先度関係は、プロトコルで事前定義されてもよいし、ネットワーク側で構成されてもよいが、本開示のいくつかの実施例では、これについて限定しない。
【００３１】
例えば、ＰＵＣＣＨを搬送するキャリアの優先度が、ＰＵＣＣＨを搬送しないキャリアの優先度よりも高い場合、補助上りリンク（Ｓｕｐｐｌｅｍｅｎｔ  Ｕｐｌｉｎｋ、ＳＵＬ）のシーンにおいて、ユーザ機器（Ｕｓｅｒ  Ｅｑｕｉｐｍｅｎｔ、ＵＥ）は、ＰＨＲをトリガした際、補助上りリンクＳＵＬキャリアにＰＵＣＣＨ伝送があり、Ｎｏｎ−ＳＵＬ（即ち、非補助上りリンク）キャリアにＰＵＳＣＨ伝送のみがあるとしたら、上りリンク伝送チャネル優先度に従って、補助上りリンクＳＵＬキャリアのＰＨＲだけを報告し、つまり、補助上りリンクＳＵＬキャリアに基づいて、電力ヘッドルームを計算して報告する。
【００３２】
本開示のいくつかの実施例は、端末機器の第一上りリンク伝送用の少なくとも２つのキャリアの中で、最も優先度の高いキャリアに基づいて、電力ヘッドルームを計算することにより、電力ヘッドルーム計算の正確性を向上させ、ひいては、電力ヘッドルーム報告の正確性を向上させることができる。
【００３３】
選択的に、前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を搬送するキャリアの優先度が、ＰＲＡＣＨを搬送しないキャリアの優先度よりも高いことと、
物理上りリンク制御チャネル（ＰＵＣＣＨ）を搬送するキャリアの優先度が、ＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つＰＵＳＣＨを搬送するキャリアの優先度が、周期的ＳＲＳ又はセミパーシステントＳＲＳを搬送するキャリアの優先度よりも高いことと、
物理上りリンク共有チャネル（ＰＵＳＣＨ）を第一類の無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）によってスクランブルされるキャリアの優先度が、ＰＵＳＣＨを第二類のＲＮＴＩによってスクランブルされるキャリアよりも高く、そのうち、前記第一類のＲＮＴＩが、変調及び符号化方式セル無線ネットワーク一時識別子（Ｍｏｄｕｌａｔｉｏｎ  ａｎｄ  Ｃｏｄｉｎｇ  Ｓｃｈｅｍｅ−Ｃｅｌｌ  Ｒａｄｉｏ  Ｎｅｔｗｏｒｋ  Ｔｅｍｐｏｒａｒｙ  Ｉｄｅｎｔｉｆｉｅｒ、ＭＣＳ−Ｃ−ＲＮＴＩ）であり、前記第二類のＲＮＴＩが、前記ＭＣＳ−Ｃ−ＲＮＴＩ以外のＲＮＴＩであることとのうち、少なくとも１つが含まれてもよい。
【００３４】
本開示のいくつかの実施例において、上記第一類の無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）は、変調及び符号化方式セル無線ネットワーク一時識別子（Ｍｏｄｕｌａｔｉｏｎ  ａｎｄ  Ｃｏｄｉｎｇ  Ｓｃｈｅｍｅ−Ｃｅｌｌ  Ｒａｄｉｏ  Ｎｅｔｗｏｒｋ  Ｔｅｍｐｏｒａｒｙ  Ｉｄｅｎｔｉｆｉｅｒ、ＭＣＳ−Ｃ−ＲＮＴＩ）であり、上記第二類のＲＮＴＩは、ＭＣＳ−Ｃ−ＲＮＴＩ以外の他のＲＮＴＩである。
【００３５】
例えば、ユーザ機器ＵＥが電力ヘッドルーム報告をトリガし、ターゲットキャリア及びソースキャリア上で上りリンク物理チャネル又は参照信号を送信する場合、ユーザ機器ＵＥは、ターゲットキャリアを電力ヘッドルーム計算用のキャリアとして選択することが可能である。一方で、ユーザ機器ＵＥが電力ヘッドルーム報告をトリガし、補助上りリンクＳＵＬキャリアにＰＵＣＣＨ伝送があり、非補助上りリンクＮｏｎ−ＳＵＬキャリアにＰＵＳＣＨ伝送のみがある場合、ユーザ機器ＵＥは、補助上りリンクＳＵＬキャリアを電力ヘッドルーム計算用のキャリアとして選択することが可能である。
【００３６】
なお、端末機器の搬送用の少なくとも２つのキャリアが、異なる次元から比べれば、異なる優先度関係を持っている場合、異なる優先度関係から、何れか１つの優先度関係を選択して、電力ヘッドルーム計算用のキャリアを確定してもよいし、異なる優先度関係間の優先度を設定し、最も優先度の高い優先度関係に基づいて、電力ヘッドルーム計算用のキャリアを確定してもよい。
【００３７】
例えば、ソースキャリアに非周期的ＳＲＳ伝送があり、ターゲットキャリアにＰＵＳＣＨ伝送があるとする。ターゲットキャリアの優先度がソースキャリアの優先度よりも高くなる次元に従えば、ユーザ機器ＵＥは、ターゲットキャリアを電力ヘッドルーム計算用のキャリアとして選択すべきである。一方で、非周期的ＳＲＳを搬送するキャリアの優先度が、ＰＵＳＣＨを搬送するキャリアの優先度よりも高くなる次元に従えば、ユーザ機器ＵＥは、ソースキャリアを電力ヘッドルーム計算用のキャリアとして選択すべきである。
【００３８】
従って、本開示のいくつかの実施例は、異なる優先度関係間の優先度を予め設定してもよく、例えば、第一優先度関係の優先度が第二優先度関係の優先度よりも高くなるように設定しておき、そのうち、第一優先度関係は、ターゲットキャリアの優先度がソースキャリアの優先度よりも高くなる優先度関係であり、第二優先度関係は、非周期的ＳＲＳを搬送するキャリアの優先度が、ＰＵＳＣＨを搬送するキャリアの優先度よりも高くなる優先度関係である。そうすると、第一優先度関係に基づいて、電力ヘッドルーム計算用のキャリアが確定され、つまり、電力ヘッドルーム計算用のキャリアとしてターゲットキャリアが確定される。
【００３９】
本開示のいくつかの実施例は、前記キャリア優先度関係に従って、電力ヘッドルーム計算用のキャリアを確定することにより、電力ヘッドルーム計算の正確性を向上させ、ひいては、電力ヘッドルーム報告の正確性を向上させることができる。
【００４０】
選択的に、前記ＰＨＲポリシーには、
第一時刻と第二時刻との間の上りリンク伝送に基づいて、前記ターゲットＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻であるようにしてもよい。
【００４１】
本開示のいくつかの実施例において、第一時刻は、前記端末機器によって電力ヘッドルーム報告がトリガされる時刻であり、第二時刻は、前記第一時刻の後且つ電力ヘッドルーム報告の前の時刻であってもよい。例えば、第二時刻は、前記第一時刻の後の、最初の新規に伝送されてくる下りリンク制御情報（Ｄｏｗｎｌｉｎｋ  Ｃｏｎｔｒｏｌ  Ｉｎｆｏｒｍａｔｉｏｎ、ＤＣＩ）の受信時刻であってもよいし、Ｔ１＋△ｔであってもよく、そのうち、Ｔ１は第一時刻、△ｔはプリセット時間長であり、△ｔの値は、実際の状況に応じて合理的に設定可能である。上記第二時刻は、電力ヘッドルーム報告時刻であってもよい。
【００４２】
選択的に、前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である。
【００４３】
本開示のいくつかの実施例において、第二時刻は、最初の新規に伝送されてくるＤＣＩの受信時刻であってもよいし、最初の新規に伝送されてくるＤＣＩの受信時刻の後の、メディアアクセス制御（Ｍｅｄｉａ  Ａｃｃｅｓｓ  Ｃｏｎｔｒｏｌ、ＭＡＣ）プロトコルデータユニット（Ｐｒｏｔｏｃｏｌ  Ｄａｔａ  Ｕｎｉｔ、ＰＤＵ）のパケット化時刻であってもよい。こうして、確定されたＰＨＲ類型がより正確になり、ひいては、電力ヘッドルーム計算の正確性が向上される。
【００４４】
なお、上記上りリンク伝送は、ＰＵＳＣＨ伝送、ＰＵＣＣＨ伝送及びＳＲＳ伝送等のうち、１つ又は少なくとも２つを含んでもよいが、これらに限定されない。
【００４５】
本開示のいくつかの実施例は、第一時刻と第二時刻との間の上りリンク伝送に基づいて、前記ターゲットＰＨＲ類型を確定することにより、電力ヘッドルーム計算用のＰＨＲ類型（例えば、上りリンクチャネル又は参照信号、及び／又は、仮想ＰＨＲ又はリアルＰＨＲ等）を比較的正確に確定し、電力ヘッドルーム計算の正確性を向上させることができる。
【００４６】
選択的に、前記ＰＨＲポリシーには、
第二上りリンク伝送に基づいて、前記ターゲットＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である。
【００４７】
本開示のいくつかの実施例において、前記第二時刻に最も近い回の上りリンク伝送に基づいて、ターゲットＰＨＲ類型を確定することにより、電力ヘッドルーム計算用のＰＨＲ類型（例えば、上りリンクチャネル又は参照信号、及び／又は、仮想ＰＨＲ又はリアルＰＨＲ等）をより正確に確定し、電力ヘッドルーム計算の正確性を向上させることができる。
【００４８】
選択的に、前記ターゲットＰＨＲ類型は、前記第一ＰＨＲ類型を含み、
前記ＰＨＲポリシーには、
前記第一時刻と前記第二時刻との間に少なくとも１つのＰＵＳＣＨ伝送がある場合、前記第一ＰＨＲ類型が前記類型１のＰＨＲであると確定することと、
前記第一時刻と前記第二時刻との間に少なくとも１つのＰＵＣＣＨがある場合、前記第一ＰＨＲ類型が前記類型２のＰＨＲであると確定することと、
前記第一時刻と前記第二時刻との間に少なくとも１つのＳＲＳ伝送がある場合、前記第一ＰＨＲ類型が前記類型３のＰＨＲであると確定することと、
前記第一時刻と前記第二時刻との間の上りリンク伝送の中で、ＰＵＣＣＨ伝送のみがある場合、前記第一ＰＨＲ類型が前記類型１のＰＨＲ又は類型３のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型１のＰＨＲ又は類型３のＰＨＲであると確定することとのうち、何れか１つが含まれてもよい。
【００４９】
本開示のいくつかの実施例において、上述の前記第一ＰＨＲ類型が前記類型１のＰＨＲであると確定することは、つまり、類型１のＰＨＲを用いて電力ヘッドルームを計算することとなり、例えば、ＰＵＳＣＨに基づいて電力ヘッドルームが計算される。上述の前記第一ＰＨＲ類型が前記類型２のＰＨＲであると確定することは、つまり、類型２のＰＨＲを用いて電力ヘッドルームを計算することとなり、例えば、ＰＵＣＣＨに基づいて電力ヘッドルームが計算される。上述の前記第一ＰＨＲ類型が前記類型３のＰＨＲであると確定することは、つまり、類型３のＰＨＲを用いて電力ヘッドルームを計算することとなり、例えば、ＳＲＳに基づいて電力ヘッドルームが計算される。
【００５０】
選択的に、前記第一時刻と前記第二時刻との間に、異なるチャネル又は参照信号伝送がある場合、時刻Ｔ２に最も近い回の上りリンク伝送を元に、第一ＰＨＲ類型を確定してもよい。例えば、前記第一時刻と前記第二時刻との間に、少なくとも１つのＰＵＳＣＨ及び少なくとも１つのＳＲＳ伝送がある場合、もし時刻Ｔ２に最も近い回の上りリンク伝送がＰＵＳＣＨであれば、第一ＰＨＲ類型が前記類型１のＰＨＲであると確定される。
【００５１】
選択的に、前記ＰＨＲポリシーには、
前記第一時刻と前記第二時刻との間の上りリンク伝送の中で、前記第二時刻に最も近い回の上りリンク伝送がＰＵＳＣＨ伝送である場合、前記第一ＰＨＲ類型が前記類型１のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型２のＰＨＲであると確定することと、
前記第一時刻と前記第二時刻との間の上りリンク伝送の中で、前記第二時刻に最も近い回の上りリンク伝送がＳＲＳ伝送である場合、前記第一ＰＨＲ類型が前記類型３のＰＨＲであると確定することとのうち、少なくとも１つが含まれてもよい。
【００５２】
本開示のいくつかの実施例において、前記第二時刻に最も近い回の上りリンク伝送に基づいて第一ＰＨＲ類型を確定し、確定された第一ＰＨＲ類型に基づいて電力ヘッドルームを計算することにより、電力ヘッドルーム計算の正確性を向上させることができる。
【００５３】
選択的に、前記ターゲットＰＨＲ類型は、前記第二ＰＨＲ類型を含み、
前記ＰＨＲポリシーには、
第一時間区間内に少なくとも１つのＰＵＳＣＨ又はＰＵＣＣＨ又はＳＲＳ伝送がある場合、前記第二ＰＨＲ類型が前記リアルＰＨＲであると確定し、それ以外の場合、前記第二ＰＨＲ類型が前記仮想ＰＨＲであると確定することと、
第一時間区間内にＰＵＣＣＨ伝送のみがある場合、前記第二ＰＨＲ類型が前記仮想ＰＨＲであると確定することと、
前記第一時刻と前記第二時刻との間の上りリンク伝送の中で、前記第二時刻に最も近い回の上りリンク伝送がＰＵＣＣＨ伝送である場合、前記第二ＰＨＲ類型が前記仮想ＰＨＲであると確定することとのうち、何れか１つが含まれ、
そのうち、前記第一時間区間は［Ｔ１，Ｔ２］、Ｔ１は前記第一時刻、Ｔ２は前記第二時刻であるようにしてもよい。
【００５４】
本開示のいくつかの実施例において、上述の前記第二ＰＨＲ類型がリアルＰＨＲであると確定することは、つまり、リアルＰＨＲを用いて電力ヘッドルームを計算することとなる。上述の前記第二ＰＨＲ類型が仮想ＰＨＲであると確定することは、つまり、仮想ＰＨＲを用いて電力ヘッドルームを計算することとなる。
【００５５】
上述の第一時間区間内に少なくとも１つのＰＵＳＣＨ又はＰＵＣＣＨ又はＳＲＳ伝送があるとは、前記第一時刻と前記第二時刻との間に、少なくとも１つのＰＵＳＣＨ又はＰＵＣＣＨ又はＳＲＳ伝送があるか、或いは第一時刻又は前記第二時刻に、ＰＵＳＣＨ又はＰＵＣＣＨ又はＳＲＳ伝送があることを指す。
【００５６】
具体的に、第一時間区間内に少なくとも１つのＰＵＳＣＨ又はＰＵＣＣＨ又はＳＲＳ伝送がある場合、前記第二ＰＨＲ類型がリアルＰＨＲであると確定され、それ以外の場合、前記第二ＰＨＲ類型が仮想ＰＨＲであると確定され、つまり、第一時間区間内にＰＵＳＣＨ、ＰＵＣＣＨ及びＳＲＳ伝送がない場合、前記第二ＰＨＲ類型が仮想ＰＨＲであると確定される。
【００５７】
選択的に、前記ＰＨＲポリシーには、
第一時間区間内の上りリンク伝送の中で、前記第二時刻に最も近い回の上りリンク伝送がＰＵＳＣＨ又はＰＵＣＣＨ又はＳＲＳ伝送である場合、前記第二ＰＨＲ類型が前記リアルＰＨＲであると確定し、それ以外の場合、前記第二ＰＨＲ類型が前記仮想ＰＨＲであると確定することが含まれてもよい。
【００５８】
本開示のいくつかの実施例において、第一時間区間内の上りリンク伝送の中で、前記第二時刻に最も近い回の上りリンク伝送がＰＵＳＣＨ又はＰＵＣＣＨ又はＳＲＳ伝送である場合、前記第二ＰＨＲ類型がリアルＰＨＲであると確定され、それ以外の場合、前記第二ＰＨＲ類型が仮想ＰＨＲであると確定され、つまり、第一時間区間内の上りリンク伝送の中で、前記第二時刻に最も近い回の上りリンク伝送がＰＵＳＣＨ、ＰＵＣＣＨ及びＳＲＳではない場合、前記第二ＰＨＲ類型が仮想ＰＨＲであると確定される。
【００５９】
本開示のいくつかの実施例において、前記第二時刻に最も近い回の上りリンク伝送に基づいて第二ＰＨＲ類型を確定し、確定された第二ＰＨＲ類型に基づいて電力ヘッドルームを計算することにより、電力ヘッドルーム計算の正確性を向上させることができる。
【００６０】
以下、例を挙げて、本開示のいくつかの実施例による電力ヘッドルーム報告方法について説明する。そのうち、下記Ｔ１は、上記第一時刻であってもよく、下記Ｔ２は、上記第二時刻であってもよい。
【００６１】
例１：
補助上りリンクＳＵＬのシーンにおいて、ユーザ機器ＵＥがＰＨＲをトリガした場合、補助上りリンクＳＵＬキャリアにＰＵＣＣＨ伝送があり、非補助上りリンクＮｏｎ−ＳＵＬキャリアにＰＵＳＣＨ伝送のみがあるとしたら、上記キャリア優先度関係に従って、補助上りリンクＳＵＬキャリアのＰＨＲだけを報告してもよい。
【００６２】
例２：
ユーザ機器ＵＥがＰＨＲをトリガした場合、時刻Ｔ１と時刻Ｔ２との間にＰＵＳＣＨ伝送があるとしたら、ユーザ機器ＵＥは、類型１のリアルＰＨＲを報告してもよく、つまり、第一ＰＨＲ類型が類型１のＰＨＲであり、第二ＰＨＲ類型がリアルＰＨＲである。
【００６３】
例３：
ユーザ機器ＵＥがＰＨＲをトリガした場合、時刻Ｔ１と時刻Ｔ２との間にＳＲＳ伝送があるとしたら、ユーザ機器ＵＥは、類型３のリアルＰＨＲを報告してもよく、つまり、第一ＰＨＲ類型が類型３のＰＨＲであり、第二ＰＨＲ類型がリアルＰＨＲである。
【００６４】
例４：
ユーザ機器ＵＥがＰＨＲをトリガした場合、時刻Ｔ１と時刻Ｔ２との間で、時刻Ｔ２に最も近い回の伝送がＰＵＳＣＨ伝送であれば、ユーザ機器ＵＥは、類型１のＰＨＲを報告する。
時刻Ｔ２において、ネットワーク側がユーザ機器ＵＥにＰＵＳＣＨを伝送するように指示した場合、ユーザ機器ＵＥは、リアルＰＨＲを報告し、それ以外の場合、仮想ＰＨＲを報告する。
【００６５】
例５：
ユーザ機器ＵＥがＰＨＲをトリガした場合、時刻Ｔ１と時刻Ｔ２との間で、時刻Ｔ２に最も近い回の伝送がＳＲＳ伝送であれば、ユーザ機器ＵＥは、類型３のＰＨＲを報告する。
時刻Ｔ２において、ネットワーク側がユーザ機器ＵＥにＳＲＳを伝送するように指示した場合、ユーザ機器ＵＥは、リアルＰＨＲを報告し、それ以外の場合、仮想ＰＨＲを報告する。
【００６６】
例６：
ユーザ機器ＵＥがＰＨＲをトリガした場合、時刻Ｔ１と時刻Ｔ２との間で、時刻Ｔ２に最も近い回の伝送がＰＵＣＣＨ伝送であれば、ユーザ機器ＵＥは、類型１のＰＨＲを報告する。
時刻Ｔ２において、ネットワーク側がユーザ機器ＵＥにＰＵＣＣＨのみを伝送するように指示した場合、ユーザ機器ＵＥは、仮想ＰＨＲを報告する。
【００６７】
本開示のいくつかの実施例は、異なるチャネル類型、及び、ユーザ機器ＵＥがＰＨＲをトリガした時刻と最初の新規に伝送されてくるＤＣＩ時刻との間の上りリンク伝送に応じて、電力ヘッドルーム計算用のキャリア、電力ヘッドルーム報告類型（例えば、第一電力ヘッドルーム報告類型及び／又は第二電力ヘッドルーム報告類型）を確定することにより、電力ヘッドルーム報告の計算が不正確になる確率を低減し、上りリンクのカバレッジ又はスループットを向上させることができる。
【００６８】
図３は、本開示のいくつかの実施例による端末機器の構造図である。図３に示すように、端末機器３００は、
電力ヘッドルーム報告（ＰＨＲ）ポリシーに基づいて、電力ヘッドルーム報告を行うための報告モジュール３０１を含み、
そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。
【００６９】
選択的に、前記ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含む。
【００７０】
選択的に、前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（ＰＲＡＣＨ）を搬送するキャリアの優先度が、ＰＲＡＣＨを搬送しないキャリアの優先度よりも高いことと、
物理上りリンク制御チャネル（ＰＵＣＣＨ）を搬送するキャリアの優先度が、ＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つＰＵＳＣＨを搬送するキャリアの優先度が、周期的ＳＲＳ又はセミパーシステントＳＲＳを搬送するキャリアの優先度よりも高いことと、
物理上りリンク共有チャネル（ＰＵＳＣＨ）を第一類のＲＮＴＩによってスクランブルされるキャリアの優先度が、ＰＵＳＣＨを第二類のＲＮＴＩによってスクランブルされるキャリアよりも高く、そのうち、前記第一類のＲＮＴＩが、ＭＣＳ−Ｃ−ＲＮＴＩであり、前記第二類のＲＮＴＩが、前記ＭＣＳ−Ｃ−ＲＮＴＩ以外のＲＮＴＩであることとのうち、少なくとも１つが含まれる。
【００７１】
選択的に、前記ＰＨＲポリシーには、
第一時刻と第二時刻との間の上りリンク伝送に基づいて、前記ターゲットＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である。
【００７２】
選択的に、前記ＰＨＲポリシーには、
第二上りリンク伝送に基づいて、前記ターゲットＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である。
【００７３】
選択的に、前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である。
【００７４】
選択的に、前記ターゲットＰＨＲ類型は、前記第一ＰＨＲ類型を含み、
前記ＰＨＲポリシーには、
前記第一時刻と前記第二時刻との間に少なくとも１つのＰＵＳＣＨ伝送がある場合、前記第一ＰＨＲ類型が前記類型１のＰＨＲであると確定することと、
前記第一時刻と前記第二時刻との間に少なくとも１つのＰＵＣＣＨ伝送がある場合、前記第一ＰＨＲ類型が前記類型２のＰＨＲであると確定することと、
前記第一時刻と前記第二時刻との間に少なくとも１つのＳＲＳ伝送がある場合、前記第一ＰＨＲ類型が前記類型３のＰＨＲであると確定することと、
前記第一時刻と前記第二時刻との間の上りリンク伝送の中で、ＰＵＣＣＨ伝送のみがある場合、前記第一ＰＨＲ類型が前記類型１のＰＨＲ又は類型３のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型１のＰＨＲ又は類型３のＰＨＲであると確定することとのうち、何れか１つが含まれる。
【００７５】
選択的に、前記ＰＨＲポリシーには、
前記第一時刻と前記第二時刻との間の上りリンク伝送の中で、前記第二時刻に最も近い回の上りリンク伝送がＰＵＳＣＨ伝送である場合、前記第一ＰＨＲ類型が前記類型１のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型２のＰＨＲであると確定することと、
前記第一時刻と前記第二時刻との間の上りリンク伝送の中で、前記第二時刻に最も近い回の上りリンク伝送がＳＲＳ伝送である場合、前記第一ＰＨＲ類型が前記類型３のＰＨＲであると確定することとのうち、少なくとも１つが含まれる。
【００７６】
選択的に、前記ターゲットＰＨＲ類型は、前記第二ＰＨＲ類型を含み、
前記ＰＨＲポリシーには、
第一時間区間内に少なくとも１つのＰＵＳＣＨ又はＰＵＣＣＨ又はＳＲＳ伝送がある場合、前記第二ＰＨＲ類型が前記リアルＰＨＲであると確定し、それ以外の場合、前記第二ＰＨＲ類型が前記仮想ＰＨＲであると確定することと、
第一時間区間内にＰＵＣＣＨ伝送のみがある場合、前記第二ＰＨＲ類型が前記仮想ＰＨＲであると確定することと、
前記第一時刻と前記第二時刻との間の上りリンク伝送の中で、前記第二時刻に最も近い回の上りリンク伝送がＰＵＣＣＨ伝送である場合、前記第二ＰＨＲ類型が前記仮想ＰＨＲであると確定することとのうち、何れか１つが含まれ、
そのうち、前記第一時間区間は［Ｔ１，Ｔ２］、Ｔ１は前記第一時刻、Ｔ２は前記第二時刻である。
【００７７】
選択的に、前記ＰＨＲポリシーには、
第一時間区間内の上りリンク伝送の中で、前記第二時刻に最も近い回の上りリンク伝送がＰＵＳＣＨ又はＰＵＣＣＨ又はＳＲＳ伝送である場合、前記第二ＰＨＲ類型が前記リアルＰＨＲであると確定し、それ以外の場合、前記第二ＰＨＲ類型が前記仮想ＰＨＲであると確定することが含まれる。
【００７８】
本開示のいくつかの実施例による端末機器３００は、図２の方法実施例において端末機器によって実現された各手順を実現できるが、重複を回避するため、ここで繰り返して説明しない。
【００７９】
本開示のいくつかの実施例に係る端末機器３００は、電力ヘッドルーム報告（ＰＨＲ）ポリシーに基づいて、電力ヘッドルーム報告を行うための報告モジュール３０１を含み、そのうち、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。端末機器が、電力ヘッドルーム報告をトリガした場合、電力ヘッドルーム報告ポリシーを利用して、電力ヘッドルーム計算用のキャリア及び／又はターゲットＰＨＲ類型を確定し、電力ヘッドルーム報告を行うことができるため、電力ヘッドルーム報告の正確性を向上させることができる。
【００８０】
図４は、本開示の別の一実施例による端末機器の構造図である。図４を参照して、当該端末機器４００は、無線周波数（Ｒａｄｉｏ  Ｆｒｅｑｕｅｎｃｙ、ＲＦ）ユニット４０１、ネットワークモジュール４０２、オーディオ出力ユニット４０３、入力ユニット４０４、センサ４０５、表示ユニット４０６、ユーザ入力ユニット４０７、インターフェースユニット４０８、メモリ４０９、プロセッサ４１０、及び電源４１１等の部品を含むが、これらに限定されない。当業者であれば理解できるように、図４に示す端末機器の構造は、端末機器に対する限定を構成するものではなく、端末機器は、図示されるものよりも多いか或いは少ない部品を含んでもよいし、いくつかの部品の組み合せ、又は異なる配置の部品を含んでもよい。本開示のいくつかの実施例において、端末機器には、携帯電話、タブレットＰＣ、ノートＰＣ、パームトップ型ＰＣ、車載端末、ウェアラブルデバイス、及び歩数計等が含まれるが、これらに限定されない。
【００８１】
そのうち、無線周波数ユニット４０１は、電力ヘッドルーム報告（ＰＨＲ）ポリシーに基づいて、電力ヘッドルーム報告を行うためのものであり、前記ＰＨＲポリシーは、電力ヘッドルーム計算用のキャリアと、ターゲットＰＨＲ類型との少なくとも１つに関連するものであり、前記ターゲットＰＨＲ類型は、第一ＰＨＲ類型及び／又は第二ＰＨＲ類型を含み、前記第一ＰＨＲ類型は、類型１のＰＨＲ、類型２のＰＨＲ又は類型３のＰＨＲを含み、前記第二ＰＨＲ類型は、リアルＰＨＲ又は仮想ＰＨＲを含む。
【００８２】
本開示のいくつかの実施例は、端末機器が、電力ヘッドルーム報告をトリガした場合、電力ヘッドルーム報告ポリシーを利用して、電力ヘッドルーム計算用のキャリア及び／又はターゲットＰＨＲ類型を確定し、電力ヘッドルーム報告を行うことができるため、電力ヘッドルーム報告の正確性を向上させることができる。
【００８３】
選択的に、前記ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含む。
【００８４】
選択的に、前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（ＰＲＡＣＨ）を搬送するキャリアの優先度が、ＰＲＡＣＨを搬送しないキャリアの優先度よりも高いことと、
物理上りリンク制御チャネル（ＰＵＣＣＨ）を搬送するキャリアの優先度が、ＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つＰＵＳＣＨを搬送するキャリアの優先度が、周期的ＳＲＳ又はセミパーシステントＳＲＳを搬送するキャリアの優先度よりも高いことと、
物理上りリンク共有チャネル（ＰＵＳＣＨ）を第一類のＲＮＴＩによってスクランブルされるキャリアの優先度が、ＰＵＳＣＨを第二類のＲＮＴＩによってスクランブルされるキャリアよりも高く、そのうち、前記第一類のＲＮＴＩが、ＭＣＳ−Ｃ−ＲＮＴＩであり、前記第二類のＲＮＴＩが、前記ＭＣＳ−Ｃ−ＲＮＴＩ以外のＲＮＴＩであることとのうち、少なくとも１つが含まれる。
【００８５】
選択的に、前記ＰＨＲポリシーには、
第一時刻と第二時刻との間の上りリンク伝送に基づいて、前記ターゲットＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である。
【００８６】
選択的に、前記ＰＨＲポリシーには、
第二上りリンク伝送に基づいて、前記ターゲットＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である。
【００８７】
選択的に、前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である。
【００８８】
選択的に、前記ターゲットＰＨＲ類型は、前記第一ＰＨＲ類型を含み、
前記ＰＨＲポリシーには、
前記第一時刻と前記第二時刻との間に少なくとも１つのＰＵＳＣＨ伝送がある場合、前記第一ＰＨＲ類型が前記類型１のＰＨＲであると確定することと、
前記第一時刻と前記第二時刻との間に少なくとも１つのＰＵＣＣＨ伝送がある場合、前記第一ＰＨＲ類型が前記類型２のＰＨＲであると確定することと、
前記第一時刻と前記第二時刻との間に少なくとも１つのＳＲＳ伝送がある場合、前記第一ＰＨＲ類型が前記類型３のＰＨＲであると確定することと、
前記第一時刻と前記第二時刻との間の上りリンク伝送の中で、ＰＵＣＣＨ伝送のみがある場合、前記第一ＰＨＲ類型が前記類型１のＰＨＲ又は類型３のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型１のＰＨＲ又は類型３のＰＨＲであると確定することとのうち、何れか１つが含まれる。
【００８９】
選択的に、前記ＰＨＲポリシーには、
前記第一時刻と前記第二時刻との間の上りリンク伝送の中で、前記第二時刻に最も近い回の上りリンク伝送がＰＵＳＣＨ伝送である場合、前記第一ＰＨＲ類型が前記類型１のＰＨＲであると確定することと、
前記第一時刻と前記第二時刻との間の上りリンク伝送の中で、前記第二時刻に最も近い回の上りリンク伝送がＰＵＣＣＨ伝送である場合、前記第一ＰＨＲ類型が前記類型２のＰＨＲであると確定することと、
前記第一時刻と前記第二時刻との間の上りリンク伝送の中で、前記第二時刻に最も近い回の上りリンク伝送がＳＲＳ伝送である場合、前記第一ＰＨＲ類型が前記類型３のＰＨＲであると確定することとのうち、少なくとも１つが含まれる。
【００９０】
選択的に、前記ターゲットＰＨＲ類型は、前記第二ＰＨＲ類型を含み、
前記ＰＨＲポリシーには、
第一時間区間内に少なくとも１つのＰＵＳＣＨ又はＰＵＣＣＨ又はＳＲＳ伝送がある場合、前記第二ＰＨＲ類型が前記リアルＰＨＲであると確定し、それ以外の場合、前記第二ＰＨＲ類型が前記仮想ＰＨＲであると確定することと、
第一時間区間内にＰＵＣＣＨ伝送のみがある場合、前記第二ＰＨＲ類型が前記仮想ＰＨＲであると確定することと、
前記第一時刻と前記第二時刻との間の上りリンク伝送の中で、前記第二時刻に最も近い回の上りリンク伝送がＰＵＣＣＨ伝送である場合、前記第二ＰＨＲ類型が前記仮想ＰＨＲであると確定することとのうち、何れか１つが含まれ、
そのうち、前記第一時間区間は［Ｔ１，Ｔ２］、Ｔ１は前記第一時刻、Ｔ２は前記第二時刻である。
【００９１】
選択的に、前記ＰＨＲポリシーには、
第一時間区間内の上りリンク伝送の中で、前記第二時刻に最も近い回の上りリンク伝送がＰＵＳＣＨ又はＰＵＣＣＨ又はＳＲＳ伝送である場合、前記第二ＰＨＲ類型が前記リアルＰＨＲであると確定し、それ以外の場合、前記第二ＰＨＲ類型が前記仮想ＰＨＲであると確定することが含まれる。
【００９２】
理解されたいのは、本開示のいくつかの実施例において、無線周波数ユニット４０１は、情報の送受信、又は通話中の信号の受信及び送信に用いられることが可能であり、具体的に、基地局からの下りリンクデータを受信した後に、プロセッサ４１０に処理させ、また、上りリンクデータを基地局に送信する。通常、無線周波数ユニット４０１は、アンテナ、少なくとも１つの増幅器、送受信機、カプラ、低雑音増幅器、デュプレクサ等を含むが、これらに限定されない。加えて、無線周波数ユニット４０１は、無線通信システムを介してネットワーク及び他の機器と通信することが可能である。
【００９３】
端末機器は、ネットワークモジュール４０２によって、ワイヤレスブロードバンドインターネットアクセスをユーザに提供しており、例えばユーザによる電子メールの送受信、ウェブページの閲覧及びストリーミングメディアへのアクセス等を支援する。
【００９４】
オーディオ出力ユニット４０３は、無線周波数ユニット４０１又はネットワークモジュール４０２によって受信されたか、或いはメモリ４０９に記憶されたオーディオデータをオーディオ信号に変換して音声として出力することが可能である。更に、オーディオ出力ユニット４０３は、端末機器４００によって実行される特定の機能に関連するオーディオ出力（例えば、呼信号受信音、メッセージ受信音等）を提供することも可能である。オーディオ出力ユニット４０３は、スピーカ、ブザー及び受話器等を含む。
【００９５】
入力ユニット４０４は、オーディオ又はビデオ信号を受信するためのものである。入力ユニット４０４は、グラフィックスプロセッサ（Ｇｒａｐｈｉｃｓ  Ｐｒｏｃｅｓｓｉｎｇ  Ｕｎｉｔ、ＧＰＵ）４０４１、及びマイク４０４２を含んでもよく、グラフィックスプロセッサ４０４１は、ビデオキャプチャモード又は画像キャプチャモードにおいて画像キャプチャ装置（例えば、カメラ）によって取得された静止画又はビデオの画像データを処理するものである。処理された画像フレームは、表示ユニット４０６に表示されることが可能である。グラフィックスプロセッサ４０４１によって処理された画像フレームは、メモリ４０９（又は他の記憶媒体）に記憶されるか、或いは無線周波数ユニット４０１又はネットワークモジュール４０２を介して送信されることが可能である。マイク４０４２は、音声を受信可能であるとともに、このような音声をオーディオデータとなるように処理することができる。処理されたオーディオデータは、電話通話モードの場合、無線周波数ユニット４０１を介して移動通信基地局に送信可能なフォーマットに変換して出力されることが可能である。
【００９６】
端末機器４００は、例えば光センサ、動きセンサ及び他のセンサなど、少なくとも１つのセンサ４０５を更に含む。具体的に、光センサは、周囲光センサ及び近接センサを含み、そのうち、周囲光センサは、周囲光の明暗に応じて表示パネル４０６１の輝度を調節することができ、近接センサは、端末機器４００が耳付近に移動された場合、表示パネル４０６１及び／又はバックライトをオフにすることができる。動きセンサの一種として、加速度計センサは、様々な方向（通常は３軸）における加速度の大きさを検出することができ、静止時には、重力の大きさ及び方向を検出でき、端末の姿勢の識別（例えば、横／縦スクリーン切替、関連ゲーム、磁力計の姿勢校正）、振動識別関連機能（例えば、歩数計やタッピング）等に用いられることが可能であり、センサ４０５は、指紋センサ、圧力センサ、虹彩センサ、分子センサ、ジャイロスコープ、気圧計、湿度計、温度計、赤外線センサ等を更に含んでもよいが、ここで繰り返して説明しない。
【００９７】
表示ユニット４０６は、ユーザによって入力された情報、又はユーザに提供される情報を表示するためのものである。表示ユニット４０６は、表示パネル４０６１を含んでもよく、表示パネル４０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形態で配置されてもよい。
【００９８】
ユーザ入力ユニット４０７は、入力された数字や文字の情報を受信し、並びに、端末機器のユーザ設定及び機能制御に関するキー信号入力を生成するためのものである。具体的に、ユーザ入力ユニット４０７は、タッチパネル４０７１及び他の入力デバイス４０７２を含む。タッチパネル４０７１は、タッチスクリーンとも呼ばれており、ユーザがその上又は付近で行ったタッチ操作（例えば、ユーザが指やタッチペン等の任意の適切な物体や付属品を用いて、タッチパネル４０７１上又はタッチパネル４０７１付近で行った操作）を受け付けることができる。タッチパネル４０７１は、タッチ検出装置とタッチコントローラとの２部分を含んでもよい。そのうち、タッチ検出装置は、ユーザのタッチ位置を検出し、タッチ操作に起因した信号を検出して、その信号をタッチコントローラに送るものであり、タッチコントローラは、タッチ検出装置からタッチ情報を受信し、それをタッチポイント座標に変換してから、プロセッサ４１０に送り、プロセッサ４１０から発されたコマンドを受信して実行するものである。なお、タッチパネル４０７１は、抵抗型、容量型、赤外線型及び表面弾性波型等の複数の類型で実現可能である。ユーザ入力ユニット４０７は、タッチパネル４０７１に加え、他の入力デバイス４０７２を更に含んでもよい。具体的に、他の入力デバイス４０７２には、物理キーボード、機能キー（例えば、音量制御キーやオン／オフキー等）、トラックボール、マウス、ジョイスティックが含まれてもよいが、ここで繰り返して説明しない。
【００９９】
更に、タッチパネル４０７１は、表示パネル４０６１を覆っていてもよく、タッチパネル４０７１は、その上又は付近のタッチ操作を検出すると、タッチイベントのタイプを特定するためにプロセッサ４１０に送り、その後、プロセッサ４１０は、タッチイベントの類型に従って、対応する視覚出力を表示パネル４０６１で提供する。図４において、タッチパネル４０７１と表示パネル４０６１とは、２つの独立した部品として端末機器の入力及び出力機能を実現しているが、いくつかの実施例において、タッチパネル４０７１と表示パネル４０６１とを統合させて端末機器の入力及び出力機能を実現してもよく、ここでは、具体的に限定しない。
【０１００】
インターフェースユニット４０８は、外部装置と端末機器４００とを接続するためのインターフェースである。例えば、外部装置には、有線又は無線ヘッドホンポート、外部電源（又はバッテリ充電器）ポート、有線又は無線データポート、メモリカードポート、識別モジュールを持つ装置と接続するためのポート、オーディオ入力／出力（Ｉ／Ｏ）ポート、ビデオＩ／Ｏポート、イヤホンポート等が含まれてもよい。インターフェースユニット４０８は、外部装置からの入力（例えば、データ情報、電力等）を受信するとともに、受信した入力を端末機器４００内の１つ又は複数の要素に送るために用いられてもよいし、或いは、端末機器４００と外部装置との間のデータ伝送に用いられてもよい。
【０１０１】
メモリ４０９は、ソフトウェアプログラム及び様々なデータの記憶に用いられることが可能である。メモリ４０９は、主にプログラム記憶領域及びデータ記憶領域を含んでもよく、そのうち、プログラム記憶領域は、オペレーティングシステムや、少なくとも１つの機能（例えば、音声再生機能や画像再生機能等）に必要なアプリケーションプログラム等を記憶することができ、データ記憶領域は、携帯電話の使用に応じて作成されたデータ（例えばオーディオデータや電話帳等）を記憶することができる。なお、メモリ４０９は、高速ランダムアクセスメモリを含んでもよいし、更に、例えば少なくとも１つの磁気ディスク記憶デバイス、フラッシュメモリデバイス、又は他の揮発性ソリッドステート記憶デバイスなどの不揮発性メモリを含んでもよい。
【０１０２】
プロセッサ４１０は、端末機器の制御中心であり、様々なインターフェース及び回線を用いて端末機器全体の各部分を接続しており、メモリ４０９に記憶されたソフトウェアプログラム及び／又はモジュールを起動又は実行し、並びに、メモリ４０９に記憶されたデータを呼び出して端末機器の各種機能を実行してデータを処理することにより、端末機器全体の監視制御を行う。プロセッサ４１０は、１つ又は複数の処理ユニットを含んでもよく、選択的に、プロセッサ４１０には、アプリケーションプロセッサ及びモデムプロセッサが統合されてもよく、そのうち、アプリケーションプロセッサは、主にオペレーティングシステム、ユーザインタフェース及びアプリケーションプログラム等を取り扱い、モデムプロセッサは、主に無線通信を取り扱う。理解できるように、上記モデムプロセッサは、プロセッサ４１０に統合されなくてもよい。
【０１０３】
端末４００は、各部品に電力を供給する電源４１１（例えばバッテリ）を更に含んでもよく、選択的に、電源４１１は、電源管理システムによる充放電管理や電力消費管理等の機能が実現されるように、電源管理システムを介してプロセッサ４１０と論理的に接続されてもよい。
【０１０４】
また、端末機器４００は、いくつかの不図示の機能モジュールを含むが、ここで繰り返して説明しない。
【０１０５】
選択的に、本開示のいくつかの実施例は、端末機器を更に提供しており、当該端末機器は、プロセッサ４１０と、メモリ４０９と、メモリ４０９に記憶されて前記プロセッサ４１０上で動作可能なコンピュータプログラムとを含み、当該コンピュータプログラムがプロセッサ４１０によって実行されると、上記電力ヘッドルーム報告方法の実施例の各手順が実現され、同じ技術的効果も達成できるが、重複を回避するために、ここで繰り返して説明しない。
【０１０６】
本開示のいくつかの実施例は、コンピュータプログラムを記憶したコンピュータ読取可能な記憶媒体を更に提供しており、当該コンピュータプログラムがプロセッサによって実行されると、上記電力ヘッドルーム報告方法の実施例の各手順が実現され、同じ技術的効果も達成できるが、重複を回避するために、ここで繰り返して説明しない。そのうち、コンピュータ読取可能な記憶媒体は、例えば読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等である。
【０１０７】
なお、本明細書において、用語「含む」、「包含」又は他の任意の変体は、排他的に含むことに限定されず、一連の要素を含む手順、方法、物又は装置は、これらの要素を含むことだけではなく、明示的に列挙されていない他の要素、又はこの手順、方法、物若しくは装置に固有の要素を含む。さらなる制限がない限り、用語「１つの・・・を含む」より限定された要素は、該要素を含む手順、方法、物又は装置に他の同一の要素が存在することを排除しない。
【０１０８】
上記の実施形態に対する説明から、当業者は、ソフトウェアに、必要な汎用ハードウェアプラットフォームを加えるという方式で、上記実施例の方法が実現可能であると明確に分かることができ、勿論、ハードウェアによっても実現可能であるが、多くの場合は、前者は、より好適な実施形態となる。このような理解に基づいて、本開示の技術案の本質的部分、あるいは関連技術に対する貢献をもたらす部分は、ソフトウェア製品の形で具現化することができ、当該コンピュータソフトウェア製品は、記憶媒体（例えばＲＯＭ／ＲＡＭ、磁気ディスク、光ディスク）に記憶され、一台の端末（携帯電話、コンピュータ、サーバ、エアコンやネットワーク機器等であり得る）が本開示の各実施例に記載の方法を実行可能にするためのいくつかのコマンドを含む。
【０１０９】
以上、図面を参照して本開示の実施例を説明したが、本開示は、上記の具体的な実施形態に限定されず、上記の具体的な実施形態は、あくまでも例示的なもので、限定的なものではない当業者は、本開示の啓示の下で、本開示の主旨及び請求項の保護範囲から逸脱することなく、多数の形態を作り出すことができるが、それらは、全て本発明の保護範囲に含まれるものとする。
【図１】
2022501943.tif 000003
【図２】
2022501943.tif 000004
【図３】
2022501943.tif 000005
【図４】
2022501943.tif 000006
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
端末機器に適用される電力ヘッドルーム報告方法であって、
電力ヘッドルーム報告ＰＨＲポリシーに基づいて、電力ヘッドルーム報告を行うことを含み、
そのうち、前記電力ヘッドルーム報告ＰＨＲポリシーは、電力ヘッドルーム計算用のキャリアと、ターゲット電力ヘッドルーム報告ＰＨＲ類型との少なくとも１つに関連するものであり、前記ターゲット電力ヘッドルーム報告ＰＨＲ類型は、第一電力ヘッドルーム報告ＰＨＲ類型及び／又は第二電力ヘッドルーム報告ＰＨＲ類型を含み、前記第一電力ヘッドルーム報告ＰＨＲ類型は、類型１の電力ヘッドルーム報告ＰＨＲ、類型２の電力ヘッドルーム報告ＰＨＲ又は類型３の電力ヘッドルーム報告ＰＨＲを含み、前記第二電力ヘッドルーム報告ＰＨＲ類型は、リアル電力ヘッドルーム報告ＰＨＲ又は仮想電力ヘッドルーム報告ＰＨＲを含む、電力ヘッドルーム報告方法。
【請求項２】
前記電力ヘッドルーム報告ＰＨＲポリシーには、
第一時刻と第二時刻との間の上りリンク伝送に基づいて、前記ターゲット電力ヘッドルーム報告ＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である、請求項１に記載の電力ヘッドルーム報告方法。
【請求項３】
前記ターゲット電力ヘッドルーム報告ＰＨＲ類型は、前記第一電力ヘッドルーム報告ＰＨＲ類型を含み、
前記電力ヘッドルーム報告ＰＨＲポリシーには、
前記第一時刻と前記第二時刻との間に少なくとも１つの物理上りリンク共有チャネルＰＵＳＣＨ伝送がある場合、前記第一電力ヘッドルーム報告ＰＨＲ類型が前記類型１の電力ヘッドルーム報告ＰＨＲであると確定することと、
前記第一時刻と前記第二時刻との間に少なくとも１つの物理上りリンク制御チャネルＰＵＣＣＨがある場合、前記第一電力ヘッドルーム報告ＰＨＲ類型が前記類型２の電力ヘッドルーム報告ＰＨＲであると確定することと、
前記第一時刻と前記第二時刻との間に少なくとも１つのサウンディング参照信号ＳＲＳ伝送がある場合、前記第一電力ヘッドルーム報告ＰＨＲ類型が前記類型３の電力ヘッドルーム報告ＰＨＲであると確定することと、
前記第一時刻と前記第二時刻との間の上りリンク伝送の中で、物理上りリンク制御チャネルＰＵＣＣＨ伝送のみがある場合、前記第一電力ヘッドルーム報告ＰＨＲ類型が前記類型１の電力ヘッドルーム報告ＰＨＲ又は前記類型３の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型１の電力ヘッドルーム報告ＰＨＲ又は前記類型３の電力ヘッドルーム報告ＰＨＲであると確定することとのうち、何れか１つが含まれる、請求項２に記載の電力ヘッドルーム報告方法。
【請求項４】
前記ターゲット電力ヘッドルーム報告ＰＨＲ類型は、前記第二電力ヘッドルーム報告ＰＨＲ類型を含み、
前記電力ヘッドルーム報告ＰＨＲポリシーには、
第一時間区間内に少なくとも１つの物理上りリンク共有チャネルＰＵＳＣＨ又は物理上りリンク制御チャネルＰＵＣＣＨ又はサウンディング参照信号ＳＲＳ伝送がある場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することと、
第一時間区間内に物理上りリンク制御チャネルＰＵＣＣＨ伝送のみがある場合、前記第二電力ヘッドルーム報告ＰＨＲ類型が前記仮想電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第二電力ヘッドルーム報告ＰＨＲ類型が前記仮想電力ヘッドルーム報告ＰＨＲであると確定することとのうち、何れか１つが含まれ、
そのうち、前記第一時間区間は［Ｔ１，Ｔ２］、Ｔ１は前記第一時刻、Ｔ２は前記第二時刻である、請求項２に記載の電力ヘッドルーム報告方法。
【請求項５】
前記電力ヘッドルーム報告ＰＨＲポリシーには、
電力ヘッドルーム計算用の第一キャリアを確定することが含まれ、
そのうち、前記第一キャリアは、前記端末機器の第一上りリンク伝送を搬送する少なくとも２つのキャリアに属し、前記第一キャリアは、キャリア優先度関係に従って、前記少なくとも２つのキャリアの中で最も優先度が高くなるキャリアであり、前記第一上りリンク伝送は、上りリンク物理チャネル又は参照信号伝送を含む、請求項１に記載の電力ヘッドルーム報告方法。
【請求項６】
前記キャリア優先度関係には、
ターゲットキャリアの優先度がソースキャリアの優先度よりも高いことと、
プライマリキャリアの優先度が主セカンダリキャリアの優先度よりも高く、主セカンダリキャリアの優先度がセカンダリキャリアの優先度よりも高いことと、
物理ランダムアクセスチャネル（ＰＲＡＣＨ）を搬送するキャリアの優先度が、物理ランダムアクセスチャネルＰＲＡＣＨを搬送しないキャリアの優先度よりも高いことと、
物理上りリンク制御チャネル（ＰＵＣＣＨ）を搬送するキャリアの優先度が、物理上りリンク制御チャネルＰＵＣＣＨを搬送しないキャリアの優先度よりも高いことと、
非周期的サウンディング参照信号（ＳＲＳ）を搬送するキャリアの優先度が、物理上りリンク共有チャネル（ＰＵＳＣＨ）を搬送するキャリアの優先度よりも高く、且つ物理上りリンク共有チャネルＰＵＳＣＨを搬送するキャリアの優先度が、周期的サウンディング参照信号ＳＲＳ又はセミパーシステントサウンディング参照信号ＳＲＳを搬送するキャリアの優先度よりも高いことと、
物理上りリンク共有チャネル（ＰＵＳＣＨ）を第一類の無線ネットワーク一時識別子（ＲＮＴＩ）によってスクランブルされるキャリアの優先度が、物理上りリンク共有チャネルＰＵＳＣＨを第二類の無線ネットワーク一時識別子ＲＮＴＩによってスクランブルされるキャリアよりも高く、そのうち、前記第一類の無線ネットワーク一時識別子ＲＮＴＩが、変調及び符号化方式セル無線ネットワーク一時識別子（ＭＣＳ−Ｃ−ＲＮＴＩ）であり、前記第二類の無線ネットワーク一時識別子ＲＮＴＩが、前記変調及び符号化方式セル無線ネットワーク一時識別子ＭＣＳ−Ｃ−ＲＮＴＩ以外の無線ネットワーク一時識別子ＲＮＴＩであることとのうち、少なくとも１つが含まれる、請求項５に記載の電力ヘッドルーム報告方法。
【請求項７】
前記電力ヘッドルーム報告ＰＨＲポリシーには、
第二上りリンク伝送に基づいて、前記ターゲット電力ヘッドルーム報告ＰＨＲ類型を確定することが含まれ、
そのうち、前記第二上りリンク伝送は、前記第一時刻と前記第二時刻との間の上りリンク伝送の中で、前記第二時刻に最も近い回の上りリンク伝送である、請求項２に記載の電力ヘッドルーム報告方法。
【請求項８】
前記第二時刻は、前記第一時刻の後の、最初の新規に伝送されてくる下りリンク制御情報（ＤＣＩ）の受信時刻であるか、あるいは
前記第二時刻は、前記最初の新規に伝送されてくる下りリンク制御情報（ＤＣＩ）の受信時刻の後の、メディアアクセス制御（ＭＡＣ）プロトコルデータユニット（ＰＤＵ）のパケット化時刻である、請求項２に記載の電力ヘッドルーム報告方法。
【請求項９】
前記電力ヘッドルーム報告ＰＨＲポリシーには、
前記第一時刻と前記第二時刻との間の上りリンク伝送の中で、前記第二時刻に最も近い回の上りリンク伝送が物理上りリンク共有チャネルＰＵＳＣＨ伝送である場合、前記第一電力ヘッドルーム報告ＰＨＲ類型が前記類型１の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型２の電力ヘッドルーム報告ＰＨＲであると確定することと、
前記第一時刻と前記第二時刻との間の上りリンク伝送の中で、前記第二時刻に最も近い回の上りリンク伝送がサウンディング参照信号ＳＲＳ伝送である場合、前記第一電力ヘッドルーム報告ＰＨＲ類型が前記類型３の電力ヘッドルーム報告ＰＨＲであると確定することとのうち、少なくとも１つが含まれる、請求項３に記載の電力ヘッドルーム報告方法。
【請求項１０】
前記電力ヘッドルーム報告ＰＨＲポリシーには、
第一時間区間内の上りリンク伝送の中で、前記第二時刻に最も近い回の上りリンク伝送が物理上りリンク共有チャネルＰＵＳＣＨ又は物理上りリンク制御チャネルＰＵＣＣＨ又はサウンディング参照信号ＳＲＳ伝送である場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することが含まれる、請求項４に記載の電力ヘッドルーム報告方法。
【請求項１１】
端末機器であって、
電力ヘッドルーム報告ＰＨＲポリシーに基づいて、電力ヘッドルーム報告を行うための報告モジュールを含み、
そのうち、前記電力ヘッドルーム報告ＰＨＲポリシーは、電力ヘッドルーム計算用のキャリアと、ターゲット電力ヘッドルーム報告ＰＨＲ類型との少なくとも１つに関連するものであり、前記ターゲット電力ヘッドルーム報告ＰＨＲ類型は、第一電力ヘッドルーム報告ＰＨＲ類型及び／又は第二電力ヘッドルーム報告ＰＨＲ類型を含み、前記第一電力ヘッドルーム報告ＰＨＲ類型は、類型１の電力ヘッドルーム報告ＰＨＲ、類型２の電力ヘッドルーム報告ＰＨＲ又は類型３の電力ヘッドルーム報告ＰＨＲを含み、前記第二電力ヘッドルーム報告ＰＨＲ類型は、リアル電力ヘッドルーム報告ＰＨＲ又は仮想電力ヘッドルーム報告ＰＨＲを含む、端末機器。
【請求項１２】
前記電力ヘッドルーム報告ＰＨＲポリシーには、
第一時刻と第二時刻との間の上りリンク伝送に基づいて、前記ターゲット電力ヘッドルーム報告ＰＨＲ類型を確定することが含まれ、
そのうち、前記第一時刻は、前記端末機器によって電力ヘッドルーム報告がトリガされる時刻であり、前記第二時刻は、前記第一時刻の後且つ電力ヘッドルーム報告の前の時刻であるか、或いは電力ヘッドルーム報告時刻である、請求項１１に記載の端末機器。
【請求項１３】
前記ターゲット電力ヘッドルーム報告ＰＨＲ類型は、前記第一電力ヘッドルーム報告ＰＨＲ類型を含み、
前記電力ヘッドルーム報告ＰＨＲポリシーには、
前記第一時刻と前記第二時刻との間に少なくとも１つの物理上りリンク共有チャネルＰＵＳＣＨ伝送がある場合、前記第一電力ヘッドルーム報告ＰＨＲ類型が前記類型１の電力ヘッドルーム報告ＰＨＲであると確定することと、
前記第一時刻と前記第二時刻との間に少なくとも１つの物理上りリンク制御チャネルＰＵＣＣＨ伝送がある場合、前記第一電力ヘッドルーム報告ＰＨＲ類型が前記類型２の電力ヘッドルーム報告ＰＨＲであると確定することと、
前記第一時刻と前記第二時刻との間に少なくとも１つのサウンディング参照信号ＳＲＳ伝送がある場合、前記第一電力ヘッドルーム報告ＰＨＲ類型が前記類型３の電力ヘッドルーム報告ＰＨＲであると確定することと、
前記第一時刻と前記第二時刻との間の上りリンク伝送の中で、物理上りリンク制御チャネルＰＵＣＣＨ伝送のみがある場合、前記第一電力ヘッドルーム報告ＰＨＲ類型が前記類型１の電力ヘッドルーム報告ＰＨＲ又は前記類型３の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型１の電力ヘッドルーム報告ＰＨＲ又は前記類型３の電力ヘッドルーム報告ＰＨＲであると確定することとのうち、何れか１つが含まれる、請求項１２に記載の端末機器。
【請求項１４】
前記電力ヘッドルーム報告ＰＨＲポリシーには、
前記第一時刻と前記第二時刻との間の上りリンク伝送の中で、前記第二時刻に最も近い回の上りリンク伝送が物理上りリンク共有チャネルＰＵＳＣＨ伝送である場合、前記第一電力ヘッドルーム報告ＰＨＲ類型が前記類型１の電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第一電力ヘッドルーム報告ＰＨＲ類型が前記類型２の電力ヘッドルーム報告ＰＨＲであると確定することと、
前記第一時刻と前記第二時刻との間の上りリンク伝送の中で、前記第二時刻に最も近い回の上りリンク伝送がサウンディング参照信号ＳＲＳ伝送である場合、前記第一電力ヘッドルーム報告ＰＨＲ類型が前記類型３の電力ヘッドルーム報告ＰＨＲであると確定することとのうち、少なくとも１つが含まれる、請求項１３に記載の端末機器。
【請求項１５】
前記ターゲット電力ヘッドルーム報告ＰＨＲ類型は、前記第二電力ヘッドルーム報告ＰＨＲ類型を含み、
前記電力ヘッドルーム報告ＰＨＲポリシーには、
第一時間区間内に少なくとも１つの物理上りリンク共有チャネルＰＵＳＣＨ又は物理上りリンク制御チャネルＰＵＣＣＨ又はサウンディング参照信号ＳＲＳ伝送がある場合、前記第二電力ヘッドルーム報告ＰＨＲ類型が前記リアル電力ヘッドルーム報告ＰＨＲであると確定し、それ以外の場合、前記第二電力ヘッドルーム報告ＰＨＲ類型が前記仮想電力ヘッドルーム報告ＰＨＲであると確定することと、
第一時間区間内に物理上りリンク制御チャネルＰＵＣＣＨ伝送のみがある場合、前記第二電力ヘッドルーム報告ＰＨＲ類型が前記仮想電力ヘッドルーム報告ＰＨＲであると確定することと、
前記第一時刻と前記第二時刻との間の上りリンク伝送の中で、前記第二時刻に最も近い回の上りリンク伝送が物理上りリンク制御チャネルＰＵＣＣＨ伝送である場合、前記第二電力ヘッドルーム報告ＰＨＲ類型が前記仮想電力ヘッドルーム報告ＰＨＲであると確定することとのうち、何れか１つが含まれ、
そのうち、前記第一時間区間は［Ｔ１，Ｔ２］、Ｔ１は前記第一時刻、Ｔ２は前記第二時刻である、請求項１２に記載の端末機器。
【国際調査報告】
2022501943.tif 000007
2022501943.tif 000008
2022501943.tif 000009
2022501943.tif 000010